(57)【要約】【課題】  表示画面を意図的に手やハンカチなどで拭き取る手間が発生することを防止する。【解決手段】  画面表示部１６を設けた一方の筐体１１と、ボタンを設けた他方の筐体１２とを接続した折り畳み可能な電子機器であって、他方の筐体１２側に設けたウォームギア１３と、一方の筐体１１側にウォームギア１３と歯が噛み合うように設けた回転ギアホイール１４と、回転ギアホイール１４の中心に固定したワイパ１５とを備え、開閉時にウォームギア１３を回転させることで、回転ギアホイール１４とともにワイパ１５が回転することにより、画面表示部１６を拭き取ってクリーニング可能とした。【選択図】  図１
2005204140.tif 000002
【特許請求の範囲】
【請求項１】
画面表示部を設けた一方の筐体と、ボタンを設けた他方の筐体とを接続した折り畳み可能な電子機器であって、前記他方の筐体側に設けたウォームギアと、前記一方の筐体側に前記ウォームギアと歯が噛み合うように設けた回転ギアホイールと、前記回転ギアホイールの中心に固定したワイパとを備え、開閉時に前記ウォームギアを回転させることで、前記回転ギアホイールとともに前記ワイパが回転することにより、前記画面表示部を拭き取ってクリーニング可能としたことを特徴とする電子機器。
【請求項２】
前記ウォームギアと前記回転ギアホイールとの接点移動距離が、回転ギアホイールの円周の１／４と同距離である請求項１記載の電子機器。
【請求項３】
開閉前に前記ワイパを伸縮させることでワイパの半径を伸長、収縮し前記画面表示部にクリーニング範囲を拡大、縮小可能とした請求項１記載の電子機器。
【請求項４】
前記筐体を開けた後、伸長された前記ワイパをアンテナとして利用可能とした請求項３記載の電子機器。
【請求項５】
シールの一端を固定棒により前記一方の筐体に固定し、前記シールの他端を前記ワイパに固定し、前記筐体を開けるとともに前記ワイパが回転して前記シールを広げることで前記画面表示部を覆うようにした請求項１記載の電子機器。
【請求項６】
前記ワイパの回転始点軸方向と回転終点軸方向に沿って前記ワイパが収まる溝を設けた請求項１記載の電子機器。
【請求項７】
前記ワイパは、ワイパ本体部とワイパ伸長部とから構成され、前記ワイパ伸長部の先にＳ極あるいはＮ極の特性を持つ磁石のローラを取り付け、前記画面表示部の周りに前記磁石ローラとは逆の特性を持つ磁石枠を設置した請求項１記載の電子機器。
【請求項８】
画面表示部を設けた一方の筐体と、ボタンを設けた他方の筐体とを接続した折り畳み可能な電子機器であって、前記他方の筐体側の２箇所に設けた一対のウォームギアと、前記一方の筐体側に前記一対のウォームギアとそれぞれ歯が噛み合うように２箇所に設けた一対の回転ギアホイールと、前記一対の回転ギアホイールの中心にそれぞれ固定した一対のワイパとを備え、開閉時に前記一対のウォームギアを回転させることで、前記一対の回転ギアホイールとともに前記一対のワイパがそれぞれ回転することにより、前記画面表示部を２回拭き取ってクリーニング可能としたことを特徴とする電子機器。
【請求項９】
前記一対のウォームギアはそれぞれ巻き方向が異なり、前記一対の回転ギアホイールは半径が異なることで、開閉時に一方のワイパは時計回りに、他方のワイパは反時計回りに回転させ、それぞれのワイパが衝突しないようにした請求項８記載の電子機器。
【請求項１０】
前記ワイパのクリーニング素材を交換することができる請求項１，２，３，４，５，６，７，８または９記載の電子機器。
【請求項１１】
前記ワイパの回転回数をカウントしクリーニング素材の交換推奨回数と比較することでクリーニング素材の交換推奨時期を前記画面表示部に明示し、あるいはボタンによる点灯、あるいは消灯、あるいは点滅で明示する請求項１０記載の電子機器。
【請求項１２】
前記ワイパが前記回転ギアホイールの中心に差し込まれているかどうかを検出し、差し込まれていないときに前記画面表示部に明示し、あるいはボタンによる点灯、あるいは消灯、あるいは点滅で明示する請求項１１記載の電子機器。
【発明の詳細な説明】
【技術分野】
【０００１】
この発明は、携帯電話等折り畳み式の電子機器に関するものである。
【背景技術】
【０００２】
今日、爆発的に普及している携帯電話において、通話時表示画面に耳や手などからだの一部が接触することで汗や汚れ、埃等が付着する場合がある。そのため通話完了後、手やハンカチ等で拭き取る必要があった。しかし、手やハンカチに付着していた油脂により、逆に汚れを広げてしまうことも少なくなかった。そのために従来技術として繊維布を表面の一部に構成している携帯電話用ストラップ（特許文献１参照）による拭き取り等があるが、通話完了後意図的に表示画面を「拭き取る」という手間が発生したり、色、形態、素材が限られたり携帯電話本体とは別に購入しなければならなかった。また、別従来技術として携帯電話を出し入れする際に収納ケース内側へ設置されたクリーニング材に接触させることで汚れを除去する「クリーニング材付き収納ケース」（特許文献２参照）もあるが、外出する度に収納ケースを持ち運ばなければならなかったり、着信の度に収納ケースのボタンをはずし、取り出す手間が発生していた。
【特許文献１】特開２００２−７８５２２号公報（第６頁、第１図）
【特許文献２】特開平１１−２９９５２１号公報（第９〜１０頁）
【発明の開示】
【発明が解決しようとする課題】
【０００３】
携帯電話で通話する場合、表示画面に耳や手などからだの一部が接触することで汗や汚れ、埃等が付着する場合がある。そのため、通話完了後、筐体を閉じる前に意図的に手やハンカチなどで「拭き取る」という手間が発生していた。また手で表示画面に付着した汗や汚れなどを拭き取る場合、手に付着している油脂や汗などでさらに汚れを広げることも少なくない。
【０００４】
また、ハンカチで拭く場合も同様にハンカチに付着している汗や小さな埃などにより一層汚れが広がることがある。前記課題を解決するために繊維布を表面の一部に構成している携帯電話用ストラップを携帯電話につけるなどの手段があるがこれでは通話完了後意図的に表示画面をストラップで「拭き取る」という手間が発生したり、ストラップの色、形態、素材が限られたり携帯電話本体とは別にストラップを購入しなければならなかった。
【０００５】
また、収納ケースに携帯電話を出し入れする手段を利用し、収納ケース内側へ設置されたクリーニング材に携帯電話を接触させることで汚れを除去する方法もあるが、外出する度に収納ケースを持ち運ばなければならなかったり、着信の度に収納ケースから携帯電話を取り出す手間が発生していた。
【０００６】
したがって、この発明の目的は、表示画面を意図的に手やハンカチなどで拭き取る手間が発生することを防止することであり、電子機器使用時、開閉するときの回転を利用し表示画面を有する筐体側に設置したワイパを回すことで表示画面をクリーニングすることができる電子機器を提供することである。
【課題を解決するための手段】
【０００７】
上記課題を解決するために、この発明の請求項１記載の電子機器は、画面表示部を設けた一方の筐体と、ボタンを設けた他方の筐体とを接続した折り畳み可能な電子機器であって、前記他方の筐体側に設けたウォームギアと、前記一方の筐体側に前記ウォームギアと歯が噛み合うように設けた回転ギアホイールと、前記回転ギアホイールの中心に固定したワイパとを備え、開閉時に前記ウォームギアを回転させることで、前記回転ギアホイールとともに前記ワイパが回転することにより、前記画面表示部を拭き取ってクリーニング可能とした。
【０００８】
請求項２記載の電子機器は、請求項１記載の電子機器において、前記ウォームギアと前記回転ギアホイールとの接点移動距離が、回転ギアホイールの円周の１／４と同距離である。
【０００９】
請求項３記載の電子機器は、請求項１記載の電子機器において、開閉前に前記ワイパを伸縮させることでワイパの半径を伸長、収縮し前記画面表示部にクリーニング範囲を拡大、縮小可能とした。
【００１０】
請求項４記載の電子機器は、請求項３記載の電子機器において、前記筐体を開けた後、伸長された前記ワイパをアンテナとして利用可能とした。
【００１１】
請求項５記載の電子機器は、請求項１記載の電子機器において、シールの一端を固定棒により前記一方の筐体に固定し、前記シールの他端を前記ワイパに固定し、前記筐体を開けるとともに前記ワイパが回転して前記シールを広げることで前記画面表示部を覆うようにした。
【００１２】
請求項６記載の電子機器は、請求項１記載の電子機器において、前記ワイパの回転始点軸方向と回転終点軸方向に沿って前記ワイパが収まる溝を設けた。
【００１３】
請求項７記載の電子機器は、請求項１記載の電子機器において、前記ワイパは、ワイパ本体部とワイパ伸長部とから構成され、前記ワイパ伸長部の先にＳ極あるいはＮ極の特性を持つ磁石のローラを取り付け、前記画面表示部の周りに前記磁石のローラとは逆の特性を持つ磁石枠を設置した。
【００１４】
請求項８記載の電子機器は、画面表示部を設けた一方の筐体と、ボタンを設けた他方の筐体とを接続した折り畳み可能な電子機器であって、前記他方の筐体側の２箇所に設けた一対のウォームギアと、前記一方の筐体側に前記一対のウォームギアとそれぞれ歯が噛み合うように２箇所に設けた一対の回転ギアホイールと、前記一対の回転ギアホイールの中心にそれぞれ固定した一対のワイパとを備え、開閉時に前記一対のウォームギアを回転させることで、前記一対の回転ギアホイールとともに前記一対のワイパがそれぞれ回転することにより、前記画面表示部を２回拭き取ってクリーニング可能とした。
【００１５】
請求項９記載の電子機器は、請求項８記載の電子機器において、前記一対のウォームギアはそれぞれ巻き方向が異なり、前記一対の回転ギアホイールは半径が異なることで、開閉時に一方のワイパは時計回りに、他方のワイパは反時計回りに回転させ、それぞれのワイパが衝突しないようにした。
【００１６】
請求項１０記載の電子機器は、請求項１，２，３，４，５，６，７，８または９記載の電子機器において、前記ワイパのクリーニング素材を交換することができる。
【００１７】
請求項１１記載の電子機器は、請求項１０記載の電子機器において、前記ワイパの回転回数をカウントしクリーニング素材の交換推奨回数と比較することでクリーニング素材の交換推奨時期を前記画面表示部に明示し、あるいはボタンによる点灯、あるいは消灯、あるいは点滅で明示する。
【００１８】
請求項１２記載の電子機器は、請求項１１記載の電子機器において、前記ワイパが前記回転ギアホイールの中心に差し込まれているかどうかを検出し、差し込まれていないときに前記画面表示部に明示し、あるいはボタンによる点灯、あるいは消灯、あるいは点滅で明示する。
【発明の効果】
【００１９】
この発明の請求項１記載の電子機器によれば、他方の筐体側に設けたウォームギアと、一方の筐体側にウォームギアと歯が噛み合うように設けた回転ギアホイールと、回転ギアホイールの中心に固定したワイパとを備え、開閉時にウォームギアを回転させることで、回転ギアホイールとともにワイパが回転することにより、画面表示部を拭き取ってクリーニング可能としたので、携帯電話等の電子機器で通話中に耳や手などからだの一部が接触することで汗や汚れ、埃等が画面表示部に付着していた場合にも、着信時電子機器を開けるとき、あるいは通話完了後電子機器を閉じるときに自動でワイパが回転する。このため常に表示画面をクリーンな状態に保つことができる。つまりユーザが表示画面を意図的に「拭き取る」という作業を行うことがないため、手間が発生せず時間短縮にも繋がる。
【００２０】
請求項２では、ウォームギアと前記回転ギアホイールとの接点移動距離が、回転ギアホイールの円周の１／４と同距離であるので、ワイパを９０°回転させることができる。
【００２１】
請求項３では、開閉前にワイパを伸縮させることでワイパの半径を伸長、収縮し前記画面表示部にクリーニング範囲を拡大、縮小可能としたので、回転ギアホイールの中心に設置されたワイパを半径としたワイパの回転面積分しかクリーンにできないということがなくなる。このようにワイパを伸縮させる機能を持たせることでワイパの半径を伸長／収縮し画面表示部のクリーニング範囲を拡大することができる。
【００２２】
請求項４では、筐体を開けた後、伸長されたワイパをアンテナとして利用可能としたので、ワイパを受信アンテナとしても利用することができる。
【００２３】
請求項５では、シールの一端を固定棒により一方の筐体に固定し、シールの他端をワイパに固定し、筐体を開けるとともにワイパが回転してシールを広げることで画面表示部を覆うようにしたので、ゲームやメールをしているときに汗、埃等が直接表示画面に接触したり傷がつくことを防ぐために表示画面上に透明のシールを貼ることができる。本原理はシールの一方を固定する固定棒を設け、シールの他方をワイパに固定することで携帯電話等の電子機器の開閉とともにワイパを回転し、回転に合わせてシールを広げることで表示画面に付着する埃や傷を予め防止する原理である。
【００２４】
請求項６では、ワイパの回転始点軸方向と回転終点軸方向に沿ってワイパが収まる溝を設けたので、携帯電話等の電子機器を開閉する前、または開閉後通話中などにワイパが邪魔にならない。これにより電子機器を開閉する前、または開閉後通話中にはワイパが溝へ入り込むためそれぞれ折り畳み動作、通話の妨げにならない。
【００２５】
請求項７では、ワイパは、ワイパ本体部とワイパ伸長部とから構成され、ワイパ伸長部の先にＳ極あるいはＮ極の特性を持つ磁石のローラを取り付け、画面表示部の周りに磁石ローラとは逆の特性を持つ磁石枠を設置したので、筐体の開閉とともに回転ギアホイールが回転しワイパが回転することで、磁石のローラと磁石枠における引力が働きあい表示画面の外枠に沿ってワイパ伸長部が伸縮するため表示画面全体を完全にクリーニングすることが可能である。
【００２６】
この発明の請求項８記載の電子機器によれば、一方の筐体側に一対のウォームギアとそれぞれ歯が噛み合うように２箇所に設けた一対の回転ギアホイールと、一対の回転ギアホイールの中心にそれぞれ固定した一対のワイパとを備え、開閉時に一対のウォームギアを回転させることで、一対の回転ギアホイールとともに一対のワイパがそれぞれ回転することにより、画面表示部を２回拭き取ってクリーニング可能としたので、請求項１の作用効果に加えて、1本目のワイパで例えば筋状に伸ばしてしまった汚れでも2本目のワイパで再度拭き取ることができ、落ち難かった汚れも除去しやすく、表示画面全体をクリーンに保つことができるため非常に効果的である。
【００２７】
請求項９では、一対のウォームギアはそれぞれ巻き方向が異なり、一対の回転ギアホイールは半径が異なることで、開閉時に一方のワイパは時計回りに、他方のワイパは反時計回りに回転させ、それぞれのワイパが衝突しないようにしたので、ワイパが衝突することなくクリーニングすることができ、1本のワイパだけでは届きにくかった汚れも除去することができ、表示画面全体をクリーンに保つことができるため非常に効果的である。
【００２８】
請求項１０では、ワイパのクリーニング素材を交換することができるので、常に画面表示部をクリーンに保ことができる。
【００２９】
請求項１１では、ワイパの回転回数をカウントしクリーニング素材の交換推奨回数と比較することでクリーニング素材の交換推奨時期を画面表示部に明示し、あるいはボタンによる点灯、あるいは消灯、あるいは点滅で明示するので、クリーニング素材の交換時期をユーザに明示することができる。なお、回転回数をカウントするとは回転ギアホイールが回転するとき、例えば回転ギアホイールに付けられた印を検出器で検出しイベントを発生させることでカウンタのカウンタ値をカウントアップさせることであり、カウンタ値と交換推奨値を常に比較しカウンタ値が交換推奨値以上になった場合、クリーニング素材交換時期を明示するものである。
【００３０】
請求項１２では、ワイパが回転ギアホイールの中心に差し込まれているかどうかを検出し、差し込まれていないときに画面表示部に明示し、あるいはボタンによる点灯、あるいは消灯、あるいは点滅で明示するので、ワイパの拭き取りを確認することができる。すなわち、前記印の検出においてはワイパが回転ギアホイールの中心に差し込まれているかどうかを先に検出する必要がある。もし差し込まれていなかった場合、差し込まれていないことを先に明示し、この場合、回転ギアホイールが回転したとしてもその回転回数は無効とすることにより、ワイパの拭き取り回数を正確にカウントすることができる。
【発明を実施するための最良の形態】
【００３１】
この発明の第１の実施の形態を図１および図２に基づいて説明する。図１は本発明の第１の実施形態に関係する折り畳み可能な電子機器の斜視図である。
【００３２】
図1に示すように、画面表示部１６や受話口１７等を設けた一方の筐体１１と、例えば電話番号やメール機能実現のためのボタン１８やマイク１９等を設けた他方の筐体１２とを接続した折り畳み可能な電子機器において、筐体１２側にウォームギア１３を設置しウォームギア１３と歯が噛み合うように、筐体１１側に回転ギアホイール１４を設け、開閉時にウォームギア１３を回転させることで、回転ギアホイール１４が回転し、回転ギアホイール１４の中心に固定したワイパ１５が回転することにより画面表示部１６を拭き取ってクリーニングすることを特徴とするものである。前記ワイパとは自動車で使用されているワイパのように表示画面に付着した汗や埃等を自動的に、扇形に動かして拭き取る装置である。図１において、１７は受話口、１８はボタン、１９はマイクである。
【００３３】
ウォームギア１３及び回転ギアホイール１４は安全性、耐圧性を確保するため筐体内部に設置されていることが望ましく、ワイパ１５のみ筐体外部に出て、画面表示部１６に対し適度な摩擦で回転し接することが望ましい。
【００３４】
携帯電話で通話中に耳や手などからだの一部が接触することで汗や汚れ、埃等が表示画面１６に付着することが多い。従来までは通話完了後、携帯電話を閉じるときに手やハンカチなどで表示画面１６を「拭き取る」作業が発生していたが、本発明の実施形態では開閉にあわせて自動でワイパが回転するため常に表示画面をクリーンな状態に保つことができる。つまりユーザが表示画面を意図的に「拭き取る」という作業を行うことがないため、手間が発生せず時間短縮にも繋がる。また手に付着した汗やハンカチに付着している埃等が再度表示画面に付着することもない。
【００３５】
次に前記発明の実施形態の構成について説明する。図２は本発明の実施形態の筐体１１と筐体１２との接続部における筐体内部を拡大したものであり、自動ワイパの仕組みを説明した詳細機能構成図である。
【００３６】
着信時、電子機器を開くとウォームギア１３は筐体１２の回転方向、つまり回転方向２２の方向へ回転する。このときウォームギア１３の回転に従って歯が噛み合うように設置された回転ギアホイール１４が時計回り、つまり回転方向２３に回転する。回転ギアホイール１４の中心には簡単に取り外し可能なワイパ１５が設置されているためワイパ１５が回転することにより画面表示部１６を拭き取ってクリーニングすることができる。このとき、回転ギアホイール１４の回転角度は通話中ワイパ１５が耳や顔の邪魔にならないような角度まで回転することが望ましい。例えば、ウォームギアと回転ギアホイールとの接点移動距離が、回転ギアホイールの円周の１／４と同距離であるようにすることで、ワイパ１５が９０°回転する。
【００３７】
以上のように、本実施形態ではユーザが表示画面を意図的に「拭き取る」という作業が発生せず、汗や汚れ、埃等が付着していた場合にも着信時携帯電話を開くとき、あるいは通話完了後携帯電話を閉じるときに自動でワイパが回転するため常に表示画面をクリーンな状態に保つことができる。
【００３８】
また、第２の実施形態として、図３のようにワイパ１５の回転始点軸方向と回転終点軸方向に沿ってワイパ１５が収まる溝３１を設けている。このように、表示画面の外枠に沿って窪み（溝）３１をつくることにより通話中ワイパ１５が顔の邪魔になることを防止する。また、窪み３１の深さは、図４のようにワイパの高さと同等程度とし、回転時のワイパ１５の引っ掛かりを抑えるために窪み３１の傾斜は緩やかにする。
【００３９】
この発明の第３の実施の形態を図５〜図８に基づいて説明する。図５は本発明の第３の実施形態の電子機器の斜視図、図６は図５の状態からワイパ伸長部を伸ばしたときの斜視図、図７は図６の状態から筐体を開けたときの斜視図である。
【００４０】
本実施形態では、前記機構でクリーニング範囲をさらに拡大するためにワイパを伸縮させる機能を持たせる。ワイパ１５′はワイパ本体部３２とワイパ伸長部３４で構成されている。開閉前、図５のようにワイパ本体部３２は筐体１１と筐体１２の間に挟まれている状態にあり、摘み３３のみ外部から操作することができるものとする。着信時、摘み３３を図６のように引っ張り出し、携帯電話の開閉と同時にワイパ１５′が図７のように回転することによりワイパ１５′の回転半径を拡大する。これにより、ワイパ１５′のクリーニング範囲が拡大されるため、画面表示部全体を常にクリーンに保つことができる。
【００４１】
次にワイパ１５′の構造を図８に示す。ワイパ本体部３２とワイパ伸長部３４は繊維布３５で覆われており、ワイパ１５′の回転にあわせて繊維布３５が表示画面と接触することで表示画面をクリーニングすることが可能となる。ワイパ本体部３２と伸長部３４の伸縮動作を利用し、開閉後はワイパ１５′を着信アンテナとしても利用可能である。
【００４２】
この発明の第４の実施の形態を図９に基づいて説明する。図９は本発明の第４の実施形態の電子機器の斜視図であり、開閉時、透明のシールを張ったときのイメージを示す。
【００４３】
本実施形態では、長時間ゲームやメールをしているときに汗、埃等が直接表示画面に接触したり傷がつくことを未然に防ぐために表示画面上に透明のシールを張る。
【００４４】
図９に示すように、シール４１の一端を固定棒４３に設置された固定ピン４２で筐体１１に固定し、もう一方であるシール４１の他端をワイパ１５に設置された固定ピン４２で固定する。これにより、携帯電話の開閉と同時にワイパ１５が回転してシール４１を広げることで画面表示部を覆う原理である。本原理により埃や汗が表示画面に付着することを未然に防ぐことができる。またワイパ１５上に簡単な固定ピン４２を設置するだけなので、構造も単純でシール交換も簡単である。筐体１１，１２を折り畳むときには、シール４１が筐体内側へ折り畳まれ、筐体外部へはみ出さないことが望ましい。
【００４５】
この発明の第５の実施の形態を図１０に基づいて説明する。図１０は本発明の第５の実施形態の電子機器の斜視図である。
【００４６】
図１０に示すように、画面表示部１６や受話口１７等を設けた一方の筐体１１と、電話番号やメール機能実現のためのボタン１８を設けた他方の筐体１２とを接続した折り畳み可能な電子機器において、前記ボタン１８を設けた筐体側１２にウォームギア１３，５１を2箇所に設け前記ウォームギア１３，５１とそれぞれ歯が噛み合うように、画面表示部１６を設けた筐体１１側に回転ギアホイール１４，５２を2箇所に設けている。また、回転ギアホイール１４，５２の中心にそれぞれワイパ１５，５３を固定している。開閉時にウォームギア１３，５１を回転させることで、回転ギアホイール１４，５２が回転し、回転ギアホイール１４，５２とともにワイパ１５，５３がそれぞれ回転することにより前記画面表示部１６を2回拭き取ってクリーニングすることを特徴とする。
【００４７】
本発明の実施形態はそれぞれ巻き方向の異なるウォームギア１３，５１とそれぞれ歯が噛み合うように半径の異なる回転ギアホイール１４，５２を設置することで、開閉時、ワイパ１５，５３の一方は時計回りに、他方は反時計回りに回転し、またそれぞれのワイパ１５，５３が衝突することなくクリーニングすることを特徴とする。これにより1本目のワイパで例えば筋状に伸ばしてしまった汚れでも2本目のワイパで再度拭き取るため、従来落ち難かった汚れも除去しやすく、表示画面全体をクリーンに保つことができるため非常に効果的である。
【００４８】
この発明の第６の実施の形態を図１１に基づいて説明する。図１１は本発明の第６の実施形態の電子機器の斜視図である。
【００４９】
第３の実施形態と同様にワイパ１５′は、図１１のように繊維布を備えたワイパ本体部３２とワイパ伸長部３４から構成されている。ワイパ伸長部３４の先にＳ極あるいはＮ極の特性をもつ滑りの良い磁石のローラ６２を取り付ける。また、画面表示部１６の周りに磁石ローラ６２とは逆の特性を持つ磁石枠６１を設置している。筐体１１，１２の開閉とともに回転ギアホイール１４が回転しワイパ１５′が回転するため、表示画面の外枠に沿って設置された磁石枠６１と引力が働きあいワイパ伸長部３４が磁石枠６１の引力により、表示画面の外枠に沿って伸縮する。このため表示画面全体を完全にクリーニングすることができる。ローラとは円筒形あるいは球形の回転物であり、磁石枠６１に沿って円滑に回転動作を行うものである。
【００５０】
この発明の第７の実施の形態を図１２に基づいて説明する。図１２は本発明の第７の実施形態の電子機器のクリーニング素材の交換時期を判定するためのフローチャートである。
【００５１】
上記実施形態において、ワイパのクリーニング素材はいつでも簡単に交換できるようにする。基本的に交換は、クリーニング素材だけであるが、簡単であればクリーニング素材とワイパを一体化させ、ワイパ全体を回転ギアホイールから取り外し交換してもよい。次に交換時期の判別方法について説明する。
【００５２】
図１２に示すように、ステップ７１において、まずワイパが適切に固定されているかどうかを判別する。固定されていない場合、ステップ７６においてワイパが固定されていないということを明示しワイパを設置するようにユーザへ促す。
【００５３】
このときステップ７７においてカウンタ値は初期化しておく。ワイパが固定されている場合、次にステップ７２において回転ギアホイールが回転したかどうかを判別する。判別方法としては、回転ギアホイールの任意のポイントに検出器で検出可能な検出印を付けておき、ステップ７２において、もし回転ギアホイールが回転した場合、検出印を検出器で検出する。検出印を検出した場合、ステップ７３においてイベントを発生しカウンタのカウンタ値をカウントアップする（ステップ７４）。その後、ステップ７５においてカウンタ値と内部に設けられているクリーニング素材交換推奨値を比較し、カウンタ値がクリーニング素材交換推奨値以上になった場合、ステップ７８においてクリーニング素材の交換をユーザへ促す。ワイパが固定されていないので固定するように促したり、クリーニング素材の交換時期をユーザへ促す方法については液晶表示画面へ文字等で表示させたり、ボタンによる点灯、消灯あるいは点滅等で分かりやすくユーザへ明示する。
【００５４】
以上により、本発明では筐体の開閉とともに自動的に表示画面に付着した汗や埃等をワイパで拭き取ることができるためユーザが表示画面を意図的に「拭き取る」という作業が発生せず、常に表示画面をクリーンな状態に保つことができる。
【００５５】
また、本発明では筐体の開閉によりワイパを自動的に動作させたが、開閉後例えば内蔵されている電動モータなどを使ってボタン操作によりワイパが回転し自動的に表示画面をクリーンにしてもよい。さらに本発明は他にノートＰＣや折り畳み式ＰＤＡ、折り畳み可能な携帯端末全般にも応用することができる。
【産業上の利用可能性】
【００５６】
本発明に係る電子機器は、携帯電話等の電子機器で通話中に耳や手などからだの一部が接触することで汗や汚れ、埃等が画面表示部に付着していた場合、着信時電子機器を開けるとき、あるいは通話完了後電子機器を閉じるときに自動でワイパが回転するため常に表示画面をクリーンな状態に保つことができる等の効果を有し、携帯電話やノートＰＣ、折り畳み式ＰＤＡ、折り畳み可能な携帯端末全般に応用することができる。
【図面の簡単な説明】
【００５７】
【図１】本発明の第１の実施形態の折り畳み可能な電子機器の斜視図である。
【図２】第１の実施形態における自動ワイパの仕組みを説明した機能構成図である。
【図３】本発明の第２の実施形態の表示画面の外枠に沿って窪みを設置した電子機器の斜視図である。
【図４】第２の実施形態の電子機器において窪み部分を拡大した概略斜面図である。
【図５】本発明の第３の実施形態の伸縮可能なワイパを備えた電子機器の斜視図である。
【図６】第３の実施形態の電子機器におけるワイパ伸長部を伸ばしたときの概略斜面図である。
【図７】第３の実施形態の電子機器におけるワイパ伸長部を伸ばし筐体を開いたときの概略斜面図である。
【図８】第３の実施形態の電子機器においてワイパを横から見たときの概略斜面図である。
【図９】本発明の第４の実施形態の表示画面に透明のシールを張る電子機器の概略斜面図である。
【図１０】本発明の第５の実施形態のワイパを2箇所設置する電子機器の斜視図である。
【図１１】本発明の第６の実施形態のローラと磁石枠の引力を利用してワイパを伸縮させる電子機器の概略斜面図である。
【図１２】本発明の第７の実施形態におけるクリーニング素材（ワイパ）の交換時期を判定するためのフローチャートである。
【符号の説明】
【００５８】
１１  画面表示部や受話口等を設けた筐体
１２  ボタンやマイク等を設けた筐体
１３  ウォームギア
１４  回転ギアホイール
１５，１５′  ワイパ
１６  画面表示部（表示画面）
１７  受話口
１８  ボタン
１９  マイク
２２  電子機器を開いたときのウォームギアの回転方向
２３  電子機器を開いたときの回転ギアホイールの回転方向
３１  表示画面の外枠に沿って設置した窪み
３２  ワイパ本体部
３３  摘み
３４  ワイパ伸長部
３５  繊維布
４１  透明のシール
４２  固定ピン
４３  固定棒
５１  ウォームギア
５２  回転ギアホイール
５３  ワイパ
６１  磁石枠
６２  ローラ
７１，７２，７３，７４，７５，７６，７７，７８  処理の手順を示したフローチャートにおける各項目内容
【図１】
2005204140.tif 000003
【図２】
2005204140.tif 000004
【図３】
2005204140.tif 000005
【図４】
2005204140.tif 000006
【図５】
2005204140.tif 000007
【図６】
2005204140.tif 000008
【図７】
2005204140.tif 000009
【図８】
2005204140.tif 000010
【図９】
2005204140.tif 000011
【図１０】
2005204140.tif 000012
【図１１】
2005204140.tif 000013
【図１２】
2005204140.tif 000014